(57)【要約】【課題】親機―子機間の無線通信接続にかかる時間を短縮できるコードレス親子電話装置を提供すること。【解決手段】待機中の子機は、図（ｂ）に示すように、通信チャンネルを１つずつ選択し（Ｓ１１）、選択された使用可能チャンネルについて搬送波の判定を行う（Ｓ１２）。そして、搬送波がないと判定された場合には、選択された通信チャンネルを使用可能チャンネルであるとして、子機使用許可チャンネルリストを更新する（Ｓ１３）。また、待機中の親機は、図（ａ）に示すように、子機使用許可チャンネルリストにおいて使用可能な通信チャンネルを１つずつ選択し（Ｓ０２）、選択された通信チャンネルについて搬送波の判定を行う（Ｓ０４）。そして、搬送波がないと判定された場合には、選択された通信チャンネルを使用可能チャンネルであるとして、親機使用許可チャンネルリストを更新する（Ｓ０５）。【選択図】図４
2004304423.tif 000002
【特許請求の範囲】
【請求項１】
無線通信用に予め設定された制御チャンネル、若しくは、複数の通信チャンネルの中から選択された一つの通信チャンネルを介して互いに無線通信可能な第１通信端末及び第２通信端末を備え、該二つの通信端末の内の一方が電話回線網に接続されたコードレス電話装置であって、
前記第１通信端末は、
前記各通信チャンネル毎に、当該端末周囲に存在する前記通信チャンネルに対応した搬送波を検出し、該検出結果に基づき各搬送波のレベルを表す第１チャンネルリストを生成する第１リスト生成手段と、
該第１リスト生成手段にて生成された第１チャンネルリストを、前記第２通信端末に送信する第１リスト送信手段と、
前記制御チャンネルを介して前記第２通信端末から通信チャンネルを指定する指定チャンネル情報を受信すると、該指定チャンネル情報に基づき、その後前記第２通信端末との間の通信に使用する通信チャンネルを設定する通信チャンネル設定手段と、
を備え、
前記第２通信端末は、
前記各通信チャンネル毎に、当該端末周囲に存在する前記通信チャンネルに対応した搬送波を検出し、該検出結果に基づき各搬送波のレベルを表す第２チャンネルリストを生成する第２リスト生成手段と、
前記第１通信端末から第１チャンネルリストを受信すると、該第１チャンネルリストと前記第２リスト生成手段にて生成された第２チャンネルリストとに基づき、両通信端末で使用可能な通信チャンネルの一つを選択し、該選択した通信チャンネルを指定する指定チャンネル情報を前記制御チャンネルを介して前記第１通信端末に送信すると共に、該選択した通信チャンネルを、その後前記第１通信端末との間の通信に使用する通信チャンネルとして設定する通信チャンネル選択手段と、
を備えたことを特徴とするコードレス電話装置。
【請求項２】
前記第１リスト生成手段及び前記第２リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリスト及び前記第２チャンネルリストをそれぞれ生成し、
前記通信チャンネル選択手段は、前記第１チャンネルリスト及び前記第２チャンネルリストの両方で使用可能チャンネルとして設定された通信チャンネルの中から、前記第１通信端末との間の通信に使用する通信チャンネルを選択することを特徴とする請求項１記載のコードレス電話装置。
【請求項３】
前記第１リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリストを生成し、
前記第２リスト生成手段は、前記搬送波の検出結果と、前記第１通信端末から送信されてきた第１チャンネルリストとに基づき、該第１チャンネルリストに使用可能チャンネルとして登録されている通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第２チャンネルリストを生成し、
前記通信チャンネル選択手段は、前記第２チャンネルリストで使用可能チャンネルとして設定された通信チャンネルの中から、前記第１通信端末との間の通信に使用する通信チャンネルを選択することを特徴とする請求項１記載のコードレス電話装置。
【請求項４】
前記第２リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第２チャンネルリストを生成し、
前記第２通信端末は、該第２リスト生成手段にて生成された第２チャンネルリストを、前記第１通信端末に送信する第２リスト送信手段を備え、
前記第１リスト生成手段は、前記搬送波の検出結果と、前記第２通信端末から送信されてきた第２チャンネルリストとに基づき、該第２チャンネルリストに使用可能チャンネルとして登録されている通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリストを生成し、
前記通信チャンネル選択手段は、前記第１通信端末から送信されてきた第１チャンネルリストで使用可能チャンネルとして設定された通信チャンネルの中から、前記第１通信端末との間の通信に使用する通信チャンネルを選択することを特徴とする請求項１記載のコードレス電話装置。
【請求項５】
前記第１リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリストを生成し、
前記第２リスト生成手段は、前記搬送波の検出結果と、前記第１通信端末から送信されてきた第１チャンネルリストとに基づき、該第１チャンネルリストに使用可能チャンネルとして登録されている通信チャンネルに対応した搬送波の当該端末周囲におけるレベルを測定して、該測定結果を前記第２チャンネルリストとして生成し、
前記通信チャンネル選択手段は、前記第２チャンネルリスト内のレベルに基づき、前記レベルが低い通信チャンネルを優先的に一つ選択することを特徴とする請求項１に記載のコードレス電話装置。
【請求項６】
前記第２リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第２チャンネルリストを生成し、
前記第２通信端末は、前記第２リスト生成手段にて生成された第２チャンネルリストを、前記第１通信端末に送信する第２リスト送信手段を備え、
前記第１リスト生成手段は、前記搬送波の検出結果と、前記第２通信端末から送信されてきた第２チャンネルリストとに基づき、該第２チャンネルリストに使用可能チャンネルとして登録されている通信チャンネルに対応した搬送波の当該端末周囲におけるレベルを測定して、該測定結果を前記第１チャンネルリストとして生成し、
前記通信チャンネル選択手段は、前記第１通信端末から送信されてきた第１チャンネルリスト内のレベルに基づき、前記レベルが低い通信チャンネルを優先的に一つ選択することを特徴とする請求項１に記載のコードレス電話装置。
【請求項７】
前記第１リスト生成手段は、前記第１通信端末が前記第２通信端末と無線通信していないときに、繰り返し前記第１チャンネルリストを生成することを特徴とする請求項１〜請求項６何れかに記載のコードレス電話装置。
【請求項８】
前記第２リスト生成手段は、前記第２通信端末が前記第１通信端末と無線通信していないときに、繰り返し前記第２チャンネルリストを生成することを特徴とする請求項１〜請求項７何れかに記載のコードレス電話装置。
【請求項９】
前記第１通信端末は、前記電話回線網に接続されるとともに、
前記電話回線網から着信を受信すると、着信がある旨を表す着信信号を前記制御チャンネルを介して前記第２通信端末に送信する着信信号送信手段を備え、
前記第２通信端末は、操作者の操作によって、前記電話回線網に接続して相手側電話装置との間で通話を行うための第２通話開始指令を入力するための第２通話開始指令入力手段を備え、
前記通信チャンネル選択手段は、前記第２通話開始指令入力手段から前記第２通話開始指令が入力されるか、前記着信信号送信手段から前記着信信号が送信されてきたときに、前記第１通信端末との間の通信に使用する通信チャンネルを選択することを特徴とする請求項１〜請求項８何れかに記載のコードレス電話装置。
【請求項１０】
前記第２通信端末は、前記電話回線網に接続され、
前記第１通信端末は、操作者の操作によって、前記電話回線網に接続して前記第１通信端末と相手側電話装置との間で通話を行うための第１通話開始指令を入力するための第１通話開始指令入力手段と、前記第１通話開始指令入力手段から前記第１通話開始指令が入力されると、通話を開始する旨を表す通話開始信号を前記制御チャンネルを介して前記第２通信端末に送信する通話開始信号送信手段とを備え、
前記通信チャンネル選択手段は、前記電話回線網から着信を受信するか、前記通話開始信号送信手段から前記通話開始信号が送信されてきたときに、前記第１通信端末との間の通信に使用する通信チャンネルを選択することを特徴とする請求項１〜請求項８何れかに記載のコードレス電話装置。
【請求項１１】
前記通信チャンネル設定手段は、前記制御チャンネルを介して前記第２通信端末から前記指定チャンネル情報を受信すると、該指定チャンネル情報にて指定された通信チャンネルで使用される搬送波を検出して、該指定チャンネル情報にて指定された通信チャンネルに対応した搬送波が当該端末周囲に存在するか否かを判定し、該判定結果をチャンネル判定情報として前記制御チャンネルを介して前記第２通信端末へ送信すると共に、前記判定により前記搬送波が存在しないと判断された場合には、前記指定チャンネル情報にて指定された通信チャンネルを前記第２通信端末との間の通信に使用する通信チャンネルとして設定し、
前記通信チャンネル選択手段は、前記指定チャンネル情報を前記第１通信端末に送信すると、その後前記第１通信端末から送信されてくる前記チャンネル判定情報に基づき、前記第１通信端末周囲に前回選択した通信チャンネルに対応した搬送波が存在するか否かを判定し、該搬送波が存在しない場合には、前回選択した通信チャンネルを、その後前記第１通信端末との間の通信に使用する通信チャンネルとして設定し、前記搬送波が存在する場合には、前回選択した通信チャンネルとは異なる通信チャンネルを再度選択して、該選択した通信チャンネルを指定する指定チャンネル情報を、前記制御チャンネルを介して前記第１通信端末に送信することを特徴とする請求項１〜請求項１０何れかに記載のコードレス電話装置。
【請求項１２】
前記第１通信端末を複数備え、
前記第２通信端末側の前記通信チャンネル選択手段は、前記各第１通信端末から送信されてきた複数の第１チャンネルリストと前記第２チャンネルリストを用いて、前記第１通信端末との間の通信に使用する通信チャンネルを選択する、
ことを特徴とする請求項１〜請求項１１何れかに記載のコードレス電話装置。
【発明の詳細な説明】
【０００１】
【発明の属する技術分野】
本発明は、複数の通信チャンネルの中から選択された一つの通信チャンネルを介して互いに無線通信可能な親機と子機を備えたコードレス電話装置に関する。
【０００２】
【従来の技術】
従来より、電話回線網に接続された親機と、この親機との間で無線回線を介して接続される子機とからなるコードレス親子電話機が知られている。こうしたコードレス親子電話機において、現在わが国では、１チャンネル〜８９チャンネルの周波数帯域からなる８９個のチャンネルの使用が、親機−子機間通信において認められており、規格となっているＭＣＡ（Ｍｕｌｔｉ−Ｃｈａｎｎｅｌ  Ａｃｃｅｓｓ）方式では、親機から子機へ発信する場合には、３８０ＭＨｚ帯において各チャンネルの周波数間隔が１２．５ｋＨｚである８９個のチャンネルが指定され、子機から親機へ発信する場合には、２８０ＭＨｚ帯において各チャンネルの周波数間隔が１２．５ｋＨｚである８９個のチャンネルが指定されている。つまり、１つのチャンネルは、親機から子機へ発信するための３８０ＭＨｚ帯の１チャンネルと、子機から親機へ発信するための２８０ＭＨｚ帯の１チャンネルとで構成されている。
【０００３】
このうち、４６チャンネルと８９チャンネルは、親機と子機との間のコマンドの送受信に使用する制御チャンネルとし、残りの１チャンネル〜４５チャンネル及び４７チャンネル〜８８チャンネルの中で空いているチャンネルを利用して親機と子機との間の無線通信を行うように定められている。
【０００４】
従来のコードレス親子電話機では、親機側で８７個の通信チャンネルの空き状況を順番にチェックし、空きチャンネルバッファに例えば３個の空きチャンネル番号を常時記憶していた。
そして、親機が子機との通信を開始する際には、空きチャンネルバッファに記憶していた空きチャンネル番号の１つを制御チャンネルを使って子機に通知し、子機がそのチャンネルの空き状況をチェックする。そして、子機がそのチャンネルを空きチャンネルと判定すると、空きチャンネルである旨を制御チャンネルを使って通知し、その通知を受信した親機は、そのチャンネルを利用して親機と子機との間の無線回線を接続する。一方、子機がそのチャンネルを空きチャンネルでないと判定すると、空きチャンネルでない旨を制御チャンネルを使って通知し、その通知を受信した親機は、空きチャンネルバッファに記憶している別の空きチャンネル番号の１つを子機に通知するといった処理を行っていた（例えば、特許文献１参照。）。
【０００５】
【特許文献１】
特開２０００−４１２８５号公報  （第４−６頁、第２図）
【０００６】
【発明が解決しようとする課題】
しかし、最近では携帯電話やパーソナルコンピュータ関連機器等といった妨害電波を発する機器が多く室内に置かれることが増えている。このため、親機が通知した空きチャンネルを子機が空きチャンネルでないと判定し、さらに親機が別の空きチャンネルを子機に通知するという処理の頻度が多くなり、親機―子機間の無線通信接続に時間がかかるという問題があった。
【０００７】
本発明は、上記問題を解決するためになされたもので、親機―子機間の無線通信接続にかかる時間を短縮できるコードレス親子電話装置を提供することを目的とする。
【０００８】
【課題を解決するための手段および発明の効果】
上記問題を解決するため請求項１に記載のコードレス電話装置は、無線通信用に予め設定された制御チャンネル、若しくは、複数の通信チャンネルの中から選択された一つの通信チャンネルを介して互いに無線通信可能な第１通信端末及び第２通信端末を備え、該二つの通信端末の内の一方が電話回線網に接続されたコードレス電話装置であって、前記第１通信端末は、前記各通信チャンネル毎に、当該端末周囲に存在する前記通信チャンネルに対応した搬送波を検出し、該検出結果に基づき各搬送波のレベルを表す第１チャンネルリストを生成する第１リスト生成手段と、該第１リスト生成手段にて生成された第１チャンネルリストを、前記第２通信端末に送信する第１リスト送信手段と、前記制御チャンネルを介して前記第２通信端末から通信チャンネルを指定する指定チャンネル情報を受信すると、該指定チャンネル情報に基づき、その後前記第２通信端末との間の通信に使用する通信チャンネルを設定する通信チャンネル設定手段と、を備え、前記第２通信端末は、前記各通信チャンネル毎に、当該端末周囲に存在する前記通信チャンネルに対応した搬送波を検出し、該検出結果に基づき各搬送波のレベルを表す第２チャンネルリストを生成する第２リスト生成手段と、前記第１通信端末から第１チャンネルリストを受信すると、該第１チャンネルリストと前記第２リスト生成手段にて生成された第２チャンネルリストとに基づき、両通信端末で使用可能な通信チャンネルの一つを選択し、該選択した通信チャンネルを指定する指定チャンネル情報を前記制御チャンネルを介して前記第１通信端末に送信すると共に、該選択した通信チャンネルを、その後前記第１通信端末との間の通信に使用する通信チャンネルとして設定する通信チャンネル選択手段と、を備えたことを特徴とする。
【０００９】
このように構成されたコードレス電話装置によれば、第１通信端末は、当該端末周囲に存在する前記通信チャンネルに対応した搬送波を検出し、該検出結果に基づき各搬送波のレベルを表す第１チャンネルリストを生成する。また、第２通信端末は、当該端末周囲に存在する前記通信チャンネルに対応した搬送波を検出し、該検出結果に基づき各搬送波のレベルを表す第２チャンネルリストを生成し、さらに第１通信端末から受信した第１チャンネルリストと、第１チャンネルリストに基づき、両通信端末で使用可能な通信チャンネルの一つを選択する。
【００１０】
このため、第２通信端末は、第２通信端末周囲の搬送波の状況だけでなく、第１通信端末周囲の搬送波の状況に基づいて、第１通信端末との間の通信に使用する通信チャンネルを選択するので、第２通信端末が選択した通信チャンネルが第１通信端末において使用できないため、また新たに別の通信チャンネルを選択するという状況を減らすことができる。即ち、両通信端末間での無線通信接続にかかる時間を短縮できる。
【００１１】
なお、請求項１に記載のコードレス電話装置において、第１チャンネルリストと第２チャンネルリストは搬送波のレベルを表すように構成されているが、特に請求項２に記載のように、前記第１リスト生成手段及び前記第２リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリスト及び前記第２チャンネルリストをそれぞれ生成し、前記通信チャンネル選択手段は、前記第１チャンネルリスト及び前記第２チャンネルリストの両方で使用可能チャンネルとして設定された通信チャンネルの中から、前記第１通信端末との間の通信に使用する通信チャンネルを選択する、ようにしてもよい。
【００１２】
このように構成されたコードレス電話装置によれば、第１チャンネルリストおよび第２チャンネルリストにおいて、通信チャンネルは使用可能チャンネルか使用禁止チャンネルかに分類されるため、第２通信端末は両通信端末で使用可能な通信チャンネルを簡便に選択することができる。
【００１３】
また、請求項１に記載のコードレス電話装置においては、請求項２のように、両通信端末で使用可能な通信チャンネルを選択する際に、第１チャンネルリストと第２チャンネルリストの両方を用いて通信チャンネルを選択するようにしてもよいが、請求項３に記載のように、前記第１リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリストを生成し、前記第２リスト生成手段は、前記搬送波の検出結果と、前記第１通信端末から送信されてきた第１チャンネルリストとに基づき、該第１チャンネルリストに使用可能チャンネルとして登録されている通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第２チャンネルリストを生成し、前記通信チャンネル選択手段は、前記第２チャンネルリストで使用可能チャンネルとして設定された通信チャンネルの中から、前記第１通信端末との間の通信に使用する通信チャンネルを選択するか、或いは、請求項４に記載のように、前記第２リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第２チャンネルリストを生成し、前記第２通信端末は、該第２リスト生成手段にて生成された第２チャンネルリストを、前記第１通信端末に送信する第２リスト送信手段を備え、前記第１リスト生成手段は、前記搬送波の検出結果と、前記第２通信端末から送信されてきた第２チャンネルリストとに基づき、該第２チャンネルリストに使用可能チャンネルとして登録されている通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリストを生成し、前記通信チャンネル選択手段は、前記第１通信端末から送信されてきた第１チャンネルリストで使用可能チャンネルとして設定された通信チャンネルの中から、前記第１通信端末との間の通信に使用する通信チャンネルを選択する、ようにしてもよい。
【００１４】
つまり、このようにすれば、第２通信端末が両通信端末で使用可能な通信チャンネルを選択する際に、第１チャンネルリストのみ、或いは第２チャンネルリストのみを用いて通信チャンネルを選択できるので、通信チャンネルを簡便に選択することができる。
【００１５】
なお、請求項１に記載のコードレス電話装置においては、請求項２〜請求項４のように、通信チャンネルを使用可能チャンネルと使用禁止チャンネルに分類してもよいが、請求項５に記載のように、前記第１リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第１チャンネルリストを生成し、前記第２リスト生成手段は、前記搬送波の検出結果と、前記第１通信端末から送信されてきた第１チャンネルリストとに基づき、該第１チャンネルリストに使用可能チャンネルとして登録されている通信チャンネルに対応した搬送波の当該端末周囲におけるレベルを測定して、該測定結果を前記第２チャンネルリストとして生成し、前記通信チャンネル選択手段は、前記第２チャンネルリスト内のレベルに基づき、前記レベルが低い通信チャンネルを優先的に一つ選択するか、或いは、請求項６に記載のように、前記第２リスト生成手段は、前記搬送波の検出結果に基づき、前記各通信チャンネルに対応した搬送波が当該端末周囲に存在するか否かを判定し、周囲に搬送波が存在しない通信チャンネルを使用可能チャンネル、周囲に搬送波が存在する通信チャンネルを使用禁止チャンネルとして、前記第２チャンネルリストを生成し、前記第２通信端末は、前記第２リスト生成手段にて生成された第２チャンネルリストを、前記第１通信端末に送信する第２リスト送信手段を備え、前記第１リスト生成手段は、前記搬送波の検出結果と、前記第２通信端末から送信されてきた第２チャンネルリストとに基づき、該第２チャンネルリストに使用可能チャンネルとして登録されている通信チャンネルに対応した搬送波の当該端末周囲におけるレベルを測定して、該測定結果を前記第１チャンネルリストとして生成し、前記通信チャンネル選択手段は、前記第１通信端末から送信されてきた第１チャンネルリスト内のレベルに基づき、前記レベルが低い通信チャンネルを優先的に一つ選択する、ようにしてもよい。
【００１６】
つまり、このようにすれば、第２通信端末が両通信端末で使用可能な通信チャンネルを選択する際に、使用可能チャンネルの中でも特に搬送波レベルが低い通信チャンネルが選択されるので、第２通信端末が選択した通信チャンネルが第１通信端末において使用できないため、また新たに別の通信チャンネルを選択するという状況をさらに減らすことができる。
【００１７】
なお、請求項１〜請求項６何れかに記載のコードレス電話装置においては、第１リスト生成手段および第２リスト生成手段が所定時間毎（例えば１０秒毎）にチャンネルリストをそれぞれ作成するようにしてもよいが、更に請求項７に記載のように、前記第１リスト生成手段は、前記第１通信端末が前記第２通信端末と無線通信していないときに、繰り返し前記第１チャンネルリストを生成するか、或いは、請求項８に記載のように、前記第２リスト生成手段は、前記第２通信端末が前記第１通信端末と無線通信していないときに、繰り返し前記第２チャンネルリストを生成する、ようにしてもよい。
【００１８】
このように構成されたコードレス電話装置によれば、無線通信していないときは、第１チャンネルリスト或いは第２チャンネルリストが繰り返し更新されるため、第２通信端末が両通信端末で使用可能な通信チャンネルを選択する際に、その時の搬送波の状態を反映したチャンネルリストにより通信チャンネルを選択できるので、第２通信端末が選択した通信チャンネルが第１通信端末において使用できないため、また新たに別の通信チャンネルを選択するという状況を減らすことができる。
【００１９】
なお、請求項７及び請求項８に記載の技術は、それぞれ単独で実施してもよいが、これらの技術を組み合わせて、無線通信していないときは第１チャンネルリストおよび第２チャンネルリストが繰り返し更新されるようにすれば、一方のチャンネルリストのみを繰り返し更新する場合よりも、第２通信端末が選択した通信チャンネルが第１通信端末において使用できないという状況を減らすことができる。
【００２０】
また、請求項１〜請求項８何れかに記載のコードレス電話装置においては、第２通信端末は所定時間毎（例えば１０秒毎）に両通信端末で使用可能な通信チャンネルの一つを選択するようにしてもよい。しかし、実際に両通信端末で通信を開始する際には、周囲の搬送波の状態が変化し、選択した通信チャンネルを使用できなくなっていたということもある。
【００２１】
そこで、請求項１〜請求項８何れかに記載のコードレス電話装置においては、更に請求項９に記載のように、前記第１通信端末は、前記電話回線網に接続されるとともに、前記電話回線網から着信を受信すると、着信がある旨を表す着信信号を前記制御チャンネルを介して前記第２通信端末に送信する着信信号送信手段を備え、前記第２通信端末は、操作者の操作によって、前記電話回線網に接続して相手側電話装置との間で通話を行うための第２通話開始指令を入力するための第２通話開始指令入力手段を備え、前記通信チャンネル選択手段は、前記第２通話開始指令入力手段から前記第２通話開始指令が入力されるか、前記着信信号送信手段から前記着信信号が送信されてきたときに、前記第１通信端末との間の通信に使用する通信チャンネルを選択するか、或いは、請求項１０に記載のように、前記第２通信端末は、前記電話回線網に接続され、前記第１通信端末は、操作者の操作によって、前記電話回線網に接続して前記第１通信端末と相手側電話装置との間で通話を行うための第１通話開始指令を入力するための第１通話開始指令入力手段と、前記第１通話開始指令入力手段から前記第１通話開始指令が入力されると、通話を開始する旨を表す通話開始信号を前記制御チャンネルを介して前記第２通信端末に送信する通話開始信号送信手段とを備え、前記通信チャンネル選択手段は、前記電話回線網から着信を受信するか、前記通話開始信号送信手段から前記通話開始信号が送信されてきたときに、前記第１通信端末との間の通信に使用する通信チャンネルを選択する、ようにしてもよい。
【００２２】
つまり、このようにすれば、コードレス電話装置において、着信があった時か通話開始指令が入力された時に、両通信端末で使用可能な通信チャンネルを選択するので、両通信端末で通信を開始する時に周囲の搬送波の状態が変化し、第２通信端末で選択した通信チャンネルが使用できないということを低減することができる。
【００２３】
また、請求項１〜請求項１０何れかに記載のコードレス電話装置においては、第２通信端末が、両通信端末で使用可能な通信チャンネルを選択し、選択した通信チャンネルを指定する指定チャンネル情報を第１通信端末に送信すると共に、選択した通信チャンネルを、その後第１通信端末との間の通信に使用する通信チャンネルとして設定し、さらに第１通信端末は、第２通信端末から指定チャンネル情報を受信すると、指定チャンネル情報に基づき、その後第２通信端末との間の通信に使用する通信チャンネルを設定するようにしてもよい。しかし、第２通信端末から第１通信端末へ指定チャンネル情報を送信した時点で、第１通信端末周囲の搬送波の状態が変化し、選択した通信チャンネルが第１通信端末で使用できないということもある。
【００２４】
そこで、請求項１〜請求項１０何れかに記載のコードレス電話装置においては、更に請求項１１に記載のように、前記通信チャンネル設定手段は、前記制御チャンネルを介して前記第２通信端末から前記指定チャンネル情報を受信すると、該指定チャンネル情報にて指定された通信チャンネルで使用される搬送波を検出して、該指定チャンネル情報にて指定された通信チャンネルに対応した搬送波が当該端末周囲に存在するか否かを判定し、該判定結果をチャンネル判定情報として前記制御チャンネルを介して前記第２通信端末へ送信すると共に、前記判定により前記搬送波が存在しないと判断された場合には、前記指定チャンネル情報にて指定された通信チャンネルを前記第２通信端末との間の通信に使用する通信チャンネルとして設定し、前記通信チャンネル選択手段は、前記指定チャンネル情報を前記第１通信端末に送信すると、その後前記第１通信端末から送信されてくる前記チャンネル判定情報に基づき、前記第１通信端末周囲に前回選択した通信チャンネルに対応した搬送波が存在するか否かを判定し、該搬送波が存在しない場合には、前回選択した通信チャンネルを、その後前記第１通信端末との間の通信に使用する通信チャンネルとして設定し、前記搬送波が存在する場合には、前回選択した通信チャンネルとは異なる通信チャンネルを再度選択して、該選択した通信チャンネルを指定する指定チャンネル情報を、前記制御チャンネルを介して前記第１通信端末に送信する、ようにしてもよい。
【００２５】
このように構成されたコードレス電話装置によれば、両通信端末で使用可能な通信チャンネルを第２通信端末において選択した後に、選択された通信チャンネルに対応した搬送波が第１通信端末周囲に存在するか否かを第１通信端末において判定するため、第１通信端末で使用できない通信チャンネルが、両通信端末間で通信に使用する通信チャンネルとして設定されることがなくなる。
【００２６】
また、請求項１〜請求項１１何れかに記載のコードレス電話装置において、第１通信端末を複数備える場合には、請求項１２に記載のように、前記第１通信端末を複数備え、前記第２通信端末側の前記通信チャンネル選択手段は、前記各第１通信端末から送信されてきた複数の第１チャンネルリストと前記第２チャンネルリストを用いて、前記第１通信端末との間の通信に使用する通信チャンネルを選択する、ようにしてもよい。
【００２７】
このように構成されたコードレス電話装置によれば、第１通信端末を複数備える場合には、第２通信端末は、複数の第１チャンネルリストと第２チャンネルリストを用いて、複数の第１通信端末との間の通信に使用する通信チャンネルを選択するため、第２通信端末が選択した通信チャンネルが、複数の第１通信端末のうちの１台或いは数台において使用できないため、また新たに別の通信チャンネルを選択するという状況を減らすことができる。即ち、第２通信端末と全第１通信端末との間での無線通信接続にかかる時間を短縮できる。
【００２８】
【発明の実施の形態】
（実施の形態１）
次に本発明の実施の形態１について図面をもとに説明する。
コードレス親子電話機１は、図１に示すように、電話回線網１００に接続された親機１０と、無線回線で親機１０と通信を行う子機５０から構成されている。
【００２９】
親機１０は、親機１０全体の動作を制御する制御部１１，ＲＯＭ１２，ＲＡＭ１３，Ｅ２ＰＲＯＭ１４，ユーザインターフェース部（以降、ユーザＩ／Ｆとする）１５，親機１０本体から取り外した状態で使用する送受話器であるハンドセット１６，音声入出力部１７，無線通信用の無線通信部１８，電話回線網１００経由で伝送される音声信号を入出力するＮＣＵ（ｎｅｔｗｏｒｋ  ｃｏｎｔｒｏｌ  ｕｎｉｔ）１９，親機１０内部における音声信号の伝送経路を切り換える経路切換部２０などを備えている。
【００３０】
これらのうち、ＲＯＭ１２には、制御部１１が通話の処理などを実行するのに必要な種々の制御プログラムが記憶されている。
ＲＡＭ１３は、各種制御を行う際に必要なワークメモリや、後述する親機使用許可チャンネルリスト１３ａ，子機使用許可チャンネルリスト１３ｂ，子機５０と通信を行うために指定された通信チャンネルの番号を示す指定通信チャンネル情報１３ｃの記憶領域が確保されている。
【００３１】
Ｅ２ＰＲＯＭ１４は、電力が供給されない状態でも記憶されたデータを保持可能な不揮発性メモリであり、利用者が任意に変更する各種設定データや、後述するデフォルト使用許可チャンネルリスト１４ａの記憶領域が確保されている。
また、ユーザＩ／Ｆ１５は、利用者により操作可能な複数の操作キー１５ａおよび各種情報を表示する表示パネル１５ｂからなる。
【００３２】
音声入出力部１７は、スピーカ１７ａ、マイク１７ｂおよびこれらを駆動する駆動回路１７ｃで構成され、スピーカ１７ａから音声信号に基づく音声を出力する以外に、スピーカ１７ａおよびマイク１７ｂを送受話器として、いわゆるハンズフリー通話を行うために使用することもできる。
【００３３】
また、無線通信部１８は、子機５０との間で音声信号を含めた各種信号を無線通信により送受信する。
また、経路切換部２０は、通話を開始するための操作が行われた場合に、親機１０外部との音声信号の入出力に利用する伝送経路をハンドセット１６，音声入出力部１７，無線通信部１８のいずれかに切り換える。具体的には、ハンドセット１６が親機１０本体から取り外された場合は、伝送経路をハンドセット１６に切り換え、ユーザＩ／Ｆ１５の操作キー１５ａによりハンズフリー通話を開始するための操作が行われた場合は、伝送経路を音声入出力部１７に切り換え、子機５０により通話を開始するための操作（後述の操作キー５６ａによる）が行われた場合には、伝送経路を無線通信部１８に切り換える。
【００３４】
また、子機５０は、子機５０全体の動作を制御する制御部５１，ＲＯＭ５２，ＲＡＭ５３，Ｅ２ＰＲＯＭ５４，スピーカとマイクおよびこれらを駆動する駆動回路からなる送受話部５５、数字キーを含む複数の操作キー５６ａと各種情報を表示する表示パネル５６ｂからなるユーザＩ／Ｆ５６、あらかじめ記憶された各種音声信号に基づく音声を再生する再生部５７、再生部５７により再生された音声を出力するスピーカおよびスピーカを駆動する駆動回路からなるスピーカ部５８、親機１０（の無線通信部１８）との間で音声信号を含めた各種信号を無線通信により送受信する無線通信部５９などを備えている。
【００３５】
これらのうち、ＲＯＭ５２には、制御部５１が通話の処理などを実行するのに必要な種々の制御プログラムが記憶されている。
ＲＡＭ５３は、各種制御を行う際に必要なワークメモリや、後述する親機使用許可チャンネルリスト５３ａ，子機使用許可チャンネルリスト５３ｂ，親機１０と通信を行うために指定された通信チャンネルの番号を示す指定通信チャンネル情報５３ｃの記憶領域が確保されている。
【００３６】
Ｅ２ＰＲＯＭ５４は、利用者が任意に変更する各種設定データや、後述するデフォルト使用許可チャンネルリスト５４ａの記憶領域が確保されている。
また、この子機５０の備える再生部５７は、着信を受けた際に利用される呼出音、音声通話を保留する際に利用される保留音などの音声信号が記憶されている。
【００３７】
次に、コードレス親子電話機１の着信時の動作を図２に基づいて説明する。
コードレス親子電話機１において通話が行われていない状態（待機状態）では、子機５０と親機１０は夫々子機通信チャンネル判定（Ｓ２０１）と親機通信チャンネル判定（Ｓ２０２）を行っている。
【００３８】
子機通信チャンネル判定（Ｓ２０１）は、子機５０において８７個の通信チャンネルの空き状況を順番にチェックする処理で、無線通信部５９において子機５０の周囲の電波を検出して、各通信チャンネルで使用される周波数の搬送波があるか否かを判定する。具体的には、Ｅ２ＰＲＯＭ５４に記憶されているデフォルト使用許可チャンネルリスト５４ａにおいて、使用可能チャンネルとして設定されている通信チャンネルについて搬送波の判定を行う。
【００３９】
デフォルト使用許可チャンネルリスト５４ａは、工場出荷時にＥ２ＰＲＯＭ５４に書き込まれるもので、コードレス親子電話機１の本体から発生するノイズなどにより使用できない通信チャンネルを、予め使用禁止チャンネルとして設定している。
【００４０】
つまり、デフォルト使用許可チャンネルリスト５４ａは、図１３（ａ）に示すように構成され、１から８９チャンネルの夫々について、使用可能チャンネルである（リスト中では「○」によって表示）か、使用禁止チャンネル（リスト中では「×」によって表示）かが設定されている。
【００４１】
そして、子機通信チャンネル判定（Ｓ２０１）では、デフォルト使用許可チャンネルリスト５４ａにおいて、使用可能チャンネルとして設定されている通信チャンネルについて搬送波の判定を行い、搬送波がないと判定された通信チャンネルについては使用可能チャンネルであるとし、搬送波があると判定された通信チャンネルについては使用禁止チャンネルであるとして、子機使用許可チャンネルリスト５３ｂを生成する。
【００４２】
子機使用許可チャンネルリスト５３ｂは、図１３（ｂ）に示すように構成され、１から８９チャンネルの夫々について、使用可能チャンネルである（リスト中では「○」によって表示）か、使用禁止チャンネル（リスト中では「×」によって表示）かあるいは判定を行っていないか（リスト中では「−」によって表示）が記憶されている。
【００４３】
親機通信チャンネル判定（Ｓ２０２）は、親機１０において８７個の通信チャンネルの空き状況を順番にチェックする処理で、無線通信部１８において親機１０の周囲の電波を検出して、各通信チャンネルで使用される周波数の搬送波があるか否かを判定する。具体的には、ＲＡＭ１３に格納されている子機使用許可チャンネルリスト１３ｂにおいて、使用可能チャンネルとして設定されている通信チャンネルについて搬送波の判定を行う。
【００４４】
子機使用許可チャンネルリスト１３ｂは、子機５０から無線通信部１８を介して受信した子機使用許可チャンネルリスト５３ｂと同一のものであり、子機使用許可チャンネルリスト１３ｂとしてＲＡＭ１３に格納されている。
そして、親機通信チャンネル判定（Ｓ２０２）では、子機使用許可チャンネルリスト１３ｂにおいて、使用可能チャンネルとして設定されている通信チャンネルについて搬送波の判定を行い、搬送波がないと判定された通信チャンネルについては使用可能チャンネルであるとし、搬送波があると判定された通信チャンネルについては使用禁止チャンネルであるとして、ＲＡＭ１３に格納されている親機使用許可チャンネルリスト１３ａを生成する。
【００４５】
親機使用許可チャンネルリスト１３ａは、図１３（ｃ）に示すように構成され、１から８９チャンネルの夫々について、使用可能チャンネルである（リスト中では「○」によって表示）か、使用禁止チャンネル（リスト中では「×」によって表示）か、あるいは判定を行っていない（リスト中では「−」によって表示）かが記憶されている。
【００４６】
そして、親機１０において相手側電話装置からの着信を受信したら（Ｓ２０３）、親機１０は、親機使用許可チャンネルリスト１３ａにおいて使用可能チャンネルとして記憶されている通信チャンネルを１つ選択して、その選択した通信チャンネルの番号を示す指定通信チャンネル情報１３ｃを子機５０へ送信する（Ｓ２０４）。
【００４７】
指定通信チャンネル情報１３ｃを受信した子機５０は、指定通信チャンネル情報１３ｃによって示される通信チャンネルが使用可能チャンネルであるか否かを、無線通信部５９において子機５０の周囲の電波を検出して、指定通信チャンネルで使用される周波数の搬送波があるか否かによって判定する（Ｓ２０５）。図２では、Ｓ２０５における判定の結果、使用禁止チャンネルであったとして説明を行う。
【００４８】
Ｓ２０５における判定の結果、使用禁止チャンネルであったため、子機５０は指定通信チャンネルが使用禁止チャンネルであることを示す指定通信チャンネルＮＧ応答を子機使用許可チャンネルリスト５３ｂとともに親機１０へ送信する（Ｓ２０６）。
【００４９】
指定通信チャンネルＮＧ応答と子機使用許可チャンネルリスト５３ｂを受信した親機１０は、子機使用許可チャンネルリスト５３ｂを子機使用許可チャンネルリスト１３ｂとしてＲＡＭ１３に格納し、さらに、親機使用許可チャンネルリスト１３ａにおいて使用可能チャンネルとして記憶されている通信チャンネルの中で前回指定した通信チャンネル以外のものを１つ選択して、その選択した通信チャンネルの番号を示す指定通信チャンネル情報１３ｃを子機５０へ送信する（Ｓ２０７）。
【００５０】
指定通信チャンネル情報１３ｃを受信した子機５０は、Ｓ２０５と同様に、指定通信チャンネルで使用される周波数の搬送波があるか否かを判定する（Ｓ２０８）。図２では、Ｓ２０８における判定の結果、使用可能チャンネルであったとして説明を行う。
【００５１】
Ｓ２０８における判定の結果、使用可能チャンネルであったため、子機５０は指定通信チャンネルが使用可能チャンネルであることを示す指定通信チャンネルＯＫ応答を子機使用許可チャンネルリスト５３ｂとともに親機１０へ送信する（Ｓ２０９）。
【００５２】
指定通信チャンネルＯＫ応答と子機使用許可チャンネルリスト５３ｂを受信した親機１０は、子機使用許可チャンネルリスト５３ｂを子機使用許可チャンネルリスト１３ｂとしてＲＡＭ１３に格納し、さらに、通信チャンネル決定通知を子機５０へ送信する（Ｓ２１０）。
【００５３】
そして、子機５０が通信チャンネル決定通知を受信すると、子機５０は通話が可能になる。ここでいう通話可能とは、親機１０と子機５０が指定した通信チャンネルでの通信を確立したことをいい、実際には、子機５０が通信チャンネル決定通知を受信すると子機５０が鳴動して着信があることを報知し、子機５０の利用者が送受話部５５を取り上げるなどのオフフック操作をした後に、相手先電話装置との間で外線通話が可能となる。
【００５４】
その後、子機５０の利用者が子機５０の操作キー５６ａを操作して、通話終了操作を行う（Ｓ２１１）と、子機５０は親機１０へ通話終了指令を送信する（Ｓ２１２）。そして、通話終了指令を受信した親機１０は相手先電話装置との外線通話を終了する（Ｓ２１３）。
【００５５】
次に、コードレス親子電話機１の子機５０からの発信時の動作を図３に基づいて説明する。
コードレス親子電話機１において通話が行われていない状態（待機状態）においては、子機５０と親機１０は夫々、子機通信チャンネル判定（Ｓ３０１）と親機通信チャンネル判定（Ｓ３０２）を行っている。Ｓ３０１とＳ３０２の処理はそれぞれＳ２０１とＳ２０２と同じものであるので説明は省略する。
【００５６】
そして、子機５０の利用者が送受話部５５を取り上げるなどの発呼操作をして通話開始操作を行う（Ｓ３０３）と、子機５０は親機１０へ発呼信号を送信する（Ｓ３０４）。
発呼信号を受信した親機１０は、親機使用許可チャンネルリスト１３ａにおいて使用可能チャンネルとして記憶されている通信チャンネルを１つ選択して、その選択した通信チャンネルの番号を示す指定通信チャンネル情報１３ｃを子機５０へ送信する（Ｓ３０５）。
【００５７】
指定通信チャンネル情報を受信した子機５０は、親機使用許可チャンネルリスト１３ａを親機使用許可チャンネルリスト５３ａとしてＲＡＭ５３に格納し、さらに指定通信チャンネル情報１３ｃによって示される通信チャンネルが使用可能チャンネルであるか否かを、無線通信部５９において子機５０の周囲の電波を検出し、指定通信チャンネルで使用される周波数の搬送波があるか否かによって判定する（Ｓ３０６）。図３では、Ｓ３０６における判定の結果、使用可能チャンネルであったとして説明を行う。
【００５８】
Ｓ３０６における判定の結果、使用可能チャンネルであったため、子機５０は指定通信チャンネルが使用可能チャンネルであることを示す指定通信チャンネルＯＫ応答を子機使用許可チャンネルリスト５３ｂとともに親機１０へ送信する（Ｓ３０７）。
【００５９】
指定通信チャンネルＯＫ応答と子機使用許可チャンネルリスト５３ｂを受信した親機１０は、子機使用許可チャンネルリスト５３ｂを子機使用許可チャンネルリスト１３ｂとしてＲＡＭ１３に格納し、さらに、通信チャンネル決定通知を子機５０へ送信する（Ｓ３０８）。
【００６０】
そして、子機５０が通信チャンネル決定通知を受信すると、子機５０は通話が可能になる。ここでいう通話可能とは、親機１０と子機５０が指定した通信チャンネルでの通信を確立したことをいい、実際には、この後に子機５０において利用者がダイヤル操作をすることにより親機１０が電話回線網にダイヤル信号を送出して、相手先電話装置が応答することにより相手先電話装置との間で外線通話が可能となる。
【００６１】
その後、子機５０の利用者が子機５０の操作キー５６ａを操作して、通話終了操作を行う（Ｓ３０９）と、子機５０は親機１０へ通話終了指令を送信する（Ｓ３１０）。そして、通話終了指令を受信した親機１０は相手先電話装置との外線通話を終了する（Ｓ３１１）。
【００６２】
次に、コードレス親子電話機１の制御部１１および制御部５１により実行される処理を図４〜図６を用いて説明する。まず図４を用いて、通信チャンネル判定処理を説明する。この通信チャンネル判定処理は、図２と図３における親機通信チャンネル判定（Ｓ２０２，Ｓ３０２）と子機通信チャンネル判定（Ｓ２０１，Ｓ３０１）に対応する。
【００６３】
図４（ａ）は親機１０の制御部１１が実行する親機通信チャンネル判定処理を表すフローチャート、図４（ｂ）は子機５０の制御部５１が実行する子機通信チャンネル判定処理を表すフローチャートである。
この親機通信チャンネル判定処理において、制御部１１は、まずＳ０１にて、デフォルト使用許可チャンネルリスト１４ａにおいて、使用可能チャンネルとして設定されている通信チャンネルを番号順に１つずつ選択し、Ｓ０２において、選択された使用可能チャンネルが、子機使用許可チャンネルリスト１３ｂにおいて使用可能チャンネルとして設定されているものであるか否か判断する。ここで、使用可能チャンネルとして設定されているものでないと判断すると（Ｓ０２：ＮＯ）、Ｓ０３に移行し、選択された使用可能チャンネルは判定しない通信チャンネルとして、親機使用許可チャンネルリスト１３ａを更新する。
【００６４】
一方、使用可能チャンネルとして設定されているものであると判断すると（Ｓ０２：ＹＥＳ）、Ｓ０４に移行し、選択された使用可能チャンネルについて搬送波の判定を行う。
そして、Ｓ０５に移行し、搬送波がないと判定された場合には、選択された通信チャンネルを使用可能チャンネルであるとし、搬送波があると判定された場合には使用禁止チャンネルであるとして、親機使用許可チャンネルリスト１３ａを更新して、当該親機通信チャンネル判定処理を終了する。
【００６５】
また、子機通信チャンネル判定処理において、制御部５１は、まずＳ１１にて、デフォルト使用許可チャンネルリスト５４ａにおいて、使用可能チャンネルとして設定されている通信チャンネルを番号順に１つずつ選択し、Ｓ１２において、選択された使用可能チャンネルについて搬送波の判定を行う。
【００６６】
そして、Ｓ１３に移行し、搬送波がないと判定された場合には、選択された通信チャンネルを使用可能チャンネルであるとし、搬送波があると判定された場合には使用禁止チャンネルであるとして、子機使用許可チャンネルリスト５３ｂを更新して、当該子機通信チャンネル判定処理を終了する。
【００６７】
次に図５を用いて、コードレス親子電話機１の制御部１１および制御部５１により実行される着信処理を説明する。この着信処理は、図２で説明したコードレス親子電話機１の着信時の動作に対応する処理である。
図５（ａ）は親機１０の制御部１１が実行する親機着信処理を表すフローチャート、図５（ｂ）は子機５０の制御部５１が実行する子機着信処理を表すフローチャートである。
【００６８】
この親機着信処理において、制御部１１は、まずＳ２１にて、外線からの着信があるか否かを判断する。ここで、外線からの着信があると判断すると（Ｓ２１：ＹＥＳ）、Ｓ２２に処理を移す。一方、外線からの着信がないと判断すると（Ｓ２１：ＮＯ）、Ｓ２１の処理を繰り返す。
【００６９】
Ｓ２２では、親機使用許可チャンネルリスト１３ａにおいて使用可能チャンネルとして記憶されている通信チャンネルを１つ選択して、その選択した通信チャンネルの番号を示す指定通信チャンネル情報１３ｃを子機５０へ送信する。
そして、Ｓ２３に移行して、子機５０からの指定通信チャンネルＯＫ応答か指定通信チャンネルＮＧ応答を受信するのを待ち、指定通信チャンネルＯＫ応答を受信した場合には（Ｓ２３：ＯＫ）、Ｓ２４に移行し、指定通信チャンネルＮＧ応答を受信した場合には（Ｓ２３：ＮＧ）、Ｓ２２に移行し、上述の処理を繰り返す。
【００７０】
そして、Ｓ２４に移行すると通信チャンネル決定通知を子機５０へ送信し、Ｓ２５において、指定通信チャンネル情報１３ｃをＲＡＭ１３に格納する。そして、Ｓ２６において、ＲＡＭ１３に格納された指定通信チャンネル情報１３ｃにおいて示されている通信チャンネルを用いて、子機５０と間で通信を確立することで通話可能となる。その後、通話がなされた後に通話が終了すれば、当該親機着信処理は終了する。
【００７１】
また、子機着信処理において、制御部５１は、まずＳ３１にて、指定通信チャンネル情報１３ｃを受信したか否かを判断する。ここで、指定通信チャンネル情報１３ｃを受信したと判断すると（Ｓ３１：ＹＥＳ）、Ｓ３２に処理を移す。一方、指定通信チャンネル情報１３ｃを受信してないと判断すると（Ｓ３１：ＮＯ）、Ｓ３１の処理を繰り返す。
【００７２】
Ｓ３２では、無線通信部５９により子機５０の周囲の電波を検出して、指定通信チャンネル情報１３ｃにしめされた番号に対応する通信チャンネルおいて使用される周波数の搬送波があるか否かを判断する。そして、搬送波があると判断した場合には（Ｓ３２：ＮＧ）、Ｓ３５に移行して、指定通信チャンネルは使用禁止チャンネルであるとして、子機使用許可チャンネルリスト５３ｂを更新して、さらにＳ３６にて指定通信チャンネルＮＧ応答と子機使用許可チャンネルリスト５３ｂを親機１０へ送信した後に、Ｓ３１に移行し、上述の処理を繰り返す。
【００７３】
一方、搬送波がないと判断した場合には（Ｓ３２：ＯＫ）、Ｓ３３に移行して指定通信チャンネルＯＫ応答と子機使用許可チャンネルリスト５３ｂを親機１０へ送信し、Ｓ３４において、受信した指定通信チャンネル情報１３ｃを指定通信チャンネル情報５３ｃとしてＲＡＭ５３に格納する。そして、Ｓ３７に移行する。
【００７４】
Ｓ３７では、通信チャンネル決定通知を受信したか否かを判断する。ここで、通信チャンネル決定通知を受信してないと判断すると（Ｓ３７：ＮＯ）、Ｓ３７の処理を繰り返す。一方、通信チャンネル決定通知を受信したと判断すると（Ｓ３７：ＹＥＳ）、Ｓ３８に処理を移し、ＲＡＭ５３に格納された指定通信チャンネル情報５３ｃにおいて示されている通信チャンネルを用いて、親機１０と間で通信を確立することで通話可能となる。その後、通話がなされた後に通話が終了すれば、当該子機着信処理は終了する。
【００７５】
次に図６を用いて、コードレス親子電話機１の制御部１１および制御部５１により実行される発信処理を説明する。この発信処理は、図３で説明したコードレス親子電話機１の発信時の動作に対応する処理である。
図６（ａ）は親機１０の制御部１１が実行する親機発信処理を表すフローチャート、図６（ｂ）は子機５０の制御部５１が実行する子機発信処理を表すフローチャートである。
【００７６】
この親機発信処理において、制御部１１は、まずＳ４１にて、子機５０からの発呼信号を受信したか否かを判断する。ここで、発呼信号を受信したと判断すると（Ｓ４１：ＹＥＳ）、Ｓ４２に処理を移す。一方、発呼信号を受信していないと判断すると（Ｓ４１：ＮＯ）、Ｓ４１の処理を繰り返す。
【００７７】
Ｓ４２では、親機使用許可チャンネルリスト１３ａにおいて使用可能チャンネルとして記憶されている通信チャンネルを１つ選択して、その選択した通信チャンネルの番号を示す指定通信チャンネル情報１３ｃを子機５０へ送信する。
そして、Ｓ４３に移行して、子機５０からの指定通信チャンネルＯＫ応答か指定通信チャンネルＮＧ応答を受信するのを待ち、指定通信チャンネルＯＫ応答を受信した場合にはＳ４４に移行し、指定通信チャンネルＮＧ応答を受信した場合にはＳ４２に移行し、上述の処理を繰り返す。
【００７８】
そして、Ｓ４４に移行すると通信チャンネル決定通知を子機５０へ送信し、Ｓ４５において、指定通信チャンネル情報１３ｃをＲＡＭ１３に格納する。そして、Ｓ４６において、ＲＡＭ１３に格納された指定通信チャンネル情報１３ｃにおいて示されている通信チャンネルを用いて、子機５０と間で通信を確立することで通話可能となる。その後、通話がなされた後に通話が終了すれば、当該親機発信処理は終了する。
【００７９】
また、子機発信処理において、制御部５１は、まずＳ５１にて、子機５０の利用者が送受話部５５を取り上げるなどの発呼操作をしたか否かを判断する。ここで、発呼操作をしていないと判断すると（Ｓ５１：ＮＯ）、Ｓ５１の処理を繰り返す。一方、発呼信号を受信したと判断すると（Ｓ５１：ＹＥＳ）、Ｓ５２に移行し、親機１０へ発呼信号を送信する。その後に５３に処理を移す。
【００８０】
Ｓ５３では、指定通信チャンネル情報１３ｃを受信したか否かを判断する。ここで、指定通信チャンネル情報を受信したと判断すると（Ｓ５３：ＹＥＳ）、Ｓ５４に処理を移す。一方、指定通信チャンネル情報１３ｃを受信してないと判断すると（Ｓ５３：ＮＯ）、Ｓ５３の処理を繰り返す。
【００８１】
Ｓ５４では、無線通信部５９により子機５０の周囲の電波を検出して、指定通信チャンネル情報１３ｃに示された番号に対応する通信チャンネルで使用される周波数の搬送波があるか否かを判断する。そして、搬送波があると判断した場合には（Ｓ５４：ＮＧ）、Ｓ５７に移行して、指定通信チャンネルは使用禁止チャンネルであるとして、子機使用許可チャンネルリスト５３ｂを更新して、さらにＳ５８にて指定通信チャンネルＮＧ応答と子機使用許可チャンネルリスト５３ｂを親機１０へ送信した後に、Ｓ５３に移行し、上述の処理を繰り返す。
【００８２】
一方、搬送波がないと判断した場合には（Ｓ５４：ＯＫ）、Ｓ５５に移行して指定通信チャンネルＯＫ応答と子機使用許可チャンネルリスト５３ｂを親機１０へ送信し、Ｓ５６において、受信した指定通信チャンネル情報１３ｃをＲＡＭ５３に指定通信チャンネル情報５３ｃとして格納する。そして、Ｓ５９に移行する。
【００８３】
Ｓ５９では、通信チャンネル決定通知を受信したか否かを判断する。ここで、通信チャンネル決定通知を受信してないと判断すると（Ｓ５９：ＮＯ）、Ｓ５９の処理を繰り返す。一方、通信チャンネル決定通知を受信したと判断すると（Ｓ５９：ＹＥＳ）、Ｓ６０に処理を移し、ＲＡＭ５３に格納された指定通信チャンネル情報５３ｃにおいて示されている通信チャンネルを用いて、親機１０と間で通信を確立することで通話可能となる。その後、通話がなされた後に通話が終了すれば、当該子機発信処理は終了する。
【００８４】
［本発明との対応関係］
以上説明した実施形態１において、図４（ｂ）の子機通信チャンネル判定処理は本発明における第１リスト生成手段、図５（ｂ）のＳ３３の処理および図６（ｂ）のＳ５５の処理は本発明における第１リスト送信手段、図５（ｂ）のＳ３４の処理および図６（ｂ）のＳ５６の処理は本発明における通信チャンネル設定手段、図４（ａ）の親機通信チャンネル判定処理は本発明における第２リスト生成手段、図５（ａ）のＳ２２，Ｓ２５の処理および図６（ａ）のＳ４２，Ｓ４５の処理は本発明における通信チャンネル選択手段として機能している。
【００８５】
また、図６におけるＳ５１〜Ｓ５２の処理は本発明における通話開始信号送信手段として機能している。
また、子機使用許可チャンネルリスト１３ｂおよび子機使用許可チャンネルリスト５３ｂは本発明における第１チャンネルリスト、親機使用許可チャンネルリスト１３ａおよび親機使用許可チャンネルリスト５３ａは本発明における第２チャンネルリスト、指定通信チャンネル情報１３ｃおよび指定通信チャンネル情報５３ｃは本発明における指定チャンネル情報である。
【００８６】
また、指定通信チャンネルＯＫ応答および指定通信チャンネルＮＧ応答は本発明におけるチャンネル判定情報、発呼信号は本発明における通話開始信号である。
また、操作キー５６ａは本発明における第１通話開始指令入力手段である。
【００８７】
［効果］
このように構成されたコードレス親子電話機１によれば、子機５０は、子機５０の周囲に存在する搬送波の検出結果に基づき、各通信チャンネルに対して、周囲に搬送波が存在しない通信チャンネルを使用可能チャンネル、周囲に搬送波が存在する通信チャンネルを使用禁止チャンネルとして子機使用許可チャンネルリスト５３ｂを生成するとともに、親機１０は、親機１０の周囲に存在する搬送波の検出結果に基づき、子機使用許可チャンネルリスト１３ｂに使用可能チャンネルとして登録されている通信チャンネルに対して、周囲に搬送波が存在しない通信チャンネルを使用可能チャンネル、周囲に搬送波が存在する通信チャンネルを使用禁止チャンネルとして親機使用許可チャンネルリスト１３ａを生成する。そして、親機１０は、親機使用許可チャンネルリスト１３ａで使用可能チャンネルとして設定された通信チャンネルの中から、親機１０と子機５０との間で使用可能な通信チャンネルの一つを選択する。そして、選択した通信チャンネルを指定する指定通信チャンネル情報１３ｃに基づき、親機１０は親機−子機間で通信に使用する通信チャンネルの情報をＲＡＭ１３に格納し、子機５０は該情報をＲＡＭ５３に格納する。
【００８８】
このため、親機１０は、親機１０周囲の搬送波の状況だけでなく、子機５０周囲の搬送波の状況に基づいて、子機５０との間の通信に使用する通信チャンネルを選択するので、親機１０が選択した通信チャンネルが子機５０において使用できないため、また新たに別の通信チャンネルを選択するという状況を減らすことができる。即ち、親機−子機間での無線通信接続にかかる時間を短縮できる。
【００８９】
また、親機使用許可チャンネルリスト１３ａ，５３ａおよび子機使用許可チャンネルリスト１３ｂ，５３ｂ内の通信チャンネルは、使用可能チャンネルか使用禁止チャンネルの２通りに分類されているので、親機１０は、親機１０と子機５０との間で通信に使用する通信チャンネルの選択を簡便にすることができる。
【００９０】
また、親機１０は、親機使用許可チャンネルリスト１３ａのみを用いて、通信チャンネルを選択できるので、親機・子機使用許可チャンネルリストの両方を用いて通信チャンネルを選択する場合よりも選択する方法が簡便になる。
また無線通信していないときは、子機５０は、その時の子機５０の周囲に存在する搬送波の状態に応じて子機使用許可チャンネルリスト５３ｂを繰り返し更新し、同様に親機１０は、親機１０の周囲に存在する搬送波の状態に応じて親機使用許可チャンネルリスト１３ａを繰り返し更新するため、親機１０が親機−子機間で使用可能な通信チャンネルを選択する際に、その時の搬送波の状態を反映したチャンネルリストにより通信チャンネルを選択でき、親機１０が選択した通信チャンネルが子機５０において使用できないため、また新たに別の通信チャンネルを選択するという状況を減らすことができる。
【００９１】
また、親機１０に着信があった時か、子機５０側で発呼操作が行われた時に、親機１０は、親機−子機間で通信に使用する通信チャンネルを選択するため、親機−子機間で通信を開始する時に周囲の搬送波の状態が変化し、親機１０が選択した通信チャンネルを使用できないということを低減することができる。
【００９２】
また、親機１０が親機−子機間で通信に使用する通信チャンネルを選択した後に、子機５０は、親機１０で選択された通信チャンネルに対応した搬送波が子機５０周囲に存在するか否かを判定する。そして、該搬送波が存在しない場合に、親機１０は、選択した通信チャンネルの情報をＲＡＭ１３に格納し、同様に子機５０は、該情報をＲＡＭ５３に格納する。このため、子機５０で使用できない通信チャンネルが、親機−子機間で通信に使用する通信チャンネルとして設定されることがなくなる。
【００９３】
（実施の形態２）
以下、本発明の実施の形態２について図面をもとに説明する。
本発明の実施の形態２によるコードレス親子電話機１の構成は、図１と同様である。
【００９４】
次に、実施の形態２のコードレス親子電話機１の着信時の動作を図７に基づいて説明する。
コードレス親子電話機１において通話が行われていない状態（待機状態）では、親機１０と子機５０は夫々親機通信チャンネル判定（Ｓ４０１）と子機通信チャンネル判定（Ｓ４０２）を行っている。
【００９５】
親機通信チャンネル判定（Ｓ４０１）は、親機において８７個の通信チャンネルの空き状況を順番にチェックする処理で、無線通信部１８において親機１０の周囲の電波を検出して、各通信チャンネルで使用される周波数の搬送波があるか否かを判定する。具体的には、Ｅ２ＰＲＯＭ１４に格納されているデフォルト使用許可チャンネルリスト１４ａにおいて、使用可能チャンネルとして設定されている通信チャンネルについて搬送波の判定を行う。
【００９６】
デフォルト使用許可チャンネルリスト１４ａは、工場出荷時にＥ２ＰＲＯＭ１４に書き込まれるもので、コードレス親子電話機１の本体から発生するノイズなどにより使用できない通信チャンネルを、予め使用禁止チャンネルとして設定している。
【００９７】
つまり、デフォルト使用許可チャンネルリスト１４ａは、図１４（ａ）に示すように構成され、１から８９チャンネルの夫々について、使用可能チャンネルである（リスト中では「○」によって表示）か、使用禁止チャンネル（リスト中では「×」によって表示）かが設定されている。
【００９８】
そして、親機通信チャンネル判定（Ｓ４０１）では、デフォルト使用許可チャンネルリスト１４ａにおいて、使用可能チャンネルとして設定されている通信チャンネルについて搬送波の判定を行い、搬送波がないと判定された通信チャンネルについては使用可能チャンネルであるとし、搬送波があると判定された通信チャンネルについては使用禁止チャンネルであるとして、ＲＡＭ１３に格納されている親機使用許可チャンネルリスト１３ａを生成する。
【００９９】
親機使用許可チャンネルリスト１３ａは、図１４（ｂ）に示すように構成され、１から８９チャンネルの夫々について、使用可能チャンネルである（リスト中では「○」によって表示）か、使用禁止チャンネル（リスト中では「×」によって表示）かあるいは判定を行っていないか（リスト中では「−」によって表示）が記憶されている。
【０１００】
子機通信チャンネル判定（Ｓ４０２）は、子機５０において８７個の通信チャンネルの空き状況を順番にチェックする処理で、無線通信部５９において子機５０の周囲の電波を検出して、各通信チャンネルで使用される周波数の搬送波があるか否かを判定する。具体的には、ＲＡＭ５３に格納されている親機使用許可チャンネルリスト５３ａにおいて、使用可能チャンネルとして設定されている通信チャンネルについて搬送波の判定を行う。
【０１０１】
親機使用許可チャンネルリスト５３ａは、親機１０から無線通信部１８を介して受信した親機使用許可チャンネルリスト１３ａと同一のものであり、親機使用許可チャンネルリスト５３ａとしてＲＡＭ５３に格納されている。
そして、子機通信チャンネル判定（Ｓ４０２）では、親機使用許可チャンネルリスト５３ａにおいて、使用可能チャンネルとして設定されている通信チャンネルについて搬送波の判定を行い、搬送波がないと判定された通信チャンネルについては使用可能チャンネルであるとし、搬送波があると判定された通信チャンネルについては使用禁止チャンネルであるとして、ＲＡＭ５３に格納されている子機使用許可チャンネルリスト５３ｂを生成する。
【０１０２】
子機使用許可チャンネルリスト５３ｂは、図１４（ｃ）に示すように構成され、１から８９チャンネルの夫々について、使用可能チャンネルである（リスト中では「○」によって表示）か、使用禁止チャンネル（リスト中では「×」によって表示）かあるいは判定を行っていない（リスト中では「−」によって表示）かが記憶されている。
【０１０３】
そして、親機１０において着信を受信したら（Ｓ４０３）、親機１０は、子機使用許可チャンネルリスト１３ｂにおいて使用可能チャンネルとして記憶されている通信チャンネルを１つ選択して、その選択した通信チャンネルの番号を示す指定通信チャンネル情報１３ｃを親機使用許可チャンネルリスト１３ａとともに子機５０へ送信する（Ｓ４０４）。
【０１０４】
指定通信チャンネル情報１３ｃと親機使用許可チャンネルリスト１３ａを受信した子機５０は、親機使用許可チャンネルリスト１３ａを親機使用許可チャンネルリスト５３ａとしてＲＡＭ５３に格納し、さらに指定通信チャンネル情報１３ｃによって示される通信チャンネルが使用可能チャンネルであるか否かを、無線通信部５９において子機５０の周囲の電波を検出し、指定通信チャンネルで使用される周波数の搬送波があるか否かによって判定する（Ｓ４０５）。図７では、Ｓ４０５における判定の結果、使用禁止チャンネルであったとして説明を行う。
【０１０５】
Ｓ４０５における判定の結果、使用禁止チャンネルであったため、子機５０は指定通信チャンネルが使用禁止チャンネルであることを示す指定通信チャンネルＮＧ応答を子機使用許可チャンネルリスト５３ｂとともに親機１０へ送信する（Ｓ４０６）。
【０１０６】
指定通信チャンネルＮＧ応答と子機使用許可チャンネルリスト５３ｂを受信した親機１０は、子機使用許可チャンネルリスト５３ｂを子機使用許可チャンネルリスト１３ｂとしてＲＡＭ１３に格納し、さらに、子機使用許可チャンネルリスト１３ｂにおいて使用可能チャンネルとして記憶されている通信チャンネルを１つ選択して、その選択した通信チャンネルの番号を示す指定通信チャンネル情報１３ｃを親機使用許可チャンネルリスト１３ａとともに子機５０へ送信する（Ｓ４０７）。
【０１０７】
指定通信チャンネル情報１３ｃと親機使用許可チャンネルリスト１３ａを受信した子機５０は、Ｓ４０５と同様に、指定通信チャンネルで使用される周波数の搬送波があるか否かによって判定する（Ｓ４０８）。図７では、Ｓ４０８における判定の結果、使用可能チャンネルであったとして説明を行う。
【０１０８】
Ｓ４０８における判定の結果、使用可能チャンネルであったため、子機５０は指定通信チャンネルが使用可能チャンネルであることを示す指定通信チャンネルＯＫ応答を子機使用許可チャンネルリスト５３ｂとともに親機１０へ送信する（Ｓ４０９）。
【０１０９】
指定通信チャンネルＯＫ応答と子機使用許可チャンネルリスト５３ｂを受信した親機１０は、子機使用許可チャンネルリスト５３ｂを子機使用許可チャンネルリスト１３ｂとしてＲＡＭ１３に格納し、さらに、通信チャンネル決定通知を子機５０へ送信する（Ｓ４１０）。
【０１１０】
そして、子機５０が通信チャンネル決定通知を受信すると、子機５０は通話が可能になる。ここでいう通話可能とは、親機１０と子機５０が指定した通信チャンネルでの通信を確立したことをいい、実際には、子機５０が通信チャンネル決定通知を受信すると子機５０が鳴動して着信があることを報知し、子機５０の利用者が送受話部５５を取り上げるなどのオフフック操作をした後に相手先電話装置との間で外線通話が可能となる。
【０１１１】
その後、子機５０の利用者が子機５０の操作キー５６ａを操作して、通話終了操作を行う（Ｓ４１１）と、子機５０は親機１０へ通話終了指令を送信する（Ｓ４１２）。そして、通話終了指令を受信した親機１０は相手先電話装置との外線通話を終了する（Ｓ４１３）。
【０１１２】
次に、コードレス親子電話機１の子機５０からの発信時の動作を図８に基づいて説明する。
コードレス親子電話機１において通話が行われていない状態（待機状態）においては、親機１０と子機５０は夫々親機通信チャンネル判定（Ｓ５０１）と子機通信チャンネル判定（Ｓ５０２）を行っている。Ｓ５０１とＳ５０２の処理はそれぞれＳ４０１とＳ４０２と同じものであるので説明は省略する。
【０１１３】
そして、子機５０の利用者が送受話部５５を取り上げるなどの発呼操作をして通話開始操作を行う（Ｓ５０３）と、子機５０は親機１０へ発呼信号を送信する（Ｓ５０４）。
発呼信号を受信した親機１０は、子機使用許可チャンネルリスト１３ｂにおいて使用可能チャンネルとして記憶されている通信チャンネルを１つ選択して、その選択した通信チャンネルの番号を示す指定通信チャンネル情報１３ｃを親機使用許可チャンネルリスト１３ａとともに子機５０へ送信する（Ｓ５０５）。
【０１１４】
指定通信チャンネル情報１３ｃと親機使用許可チャンネルリスト１３ａを受信した子機５０は、親機使用許可チャンネルリスト１３ａを親機使用許可チャンネルリスト５３ａとしてＲＡＭ５３に格納し、さらに指定通信チャンネル情報１３ｃによって示される通信チャンネルが使用可能チャンネルであるか否かを、無線通信部５９において子機５０の周囲の電波を検出して、指定通信チャンネルで使用される周波数の搬送波があるか否かによって判定する（Ｓ５０６）。図８では、Ｓ５０６における判定の結果、使用可能チャンネルであったとして説明を行う。
【０１１５】
Ｓ５０６における判定の結果、使用可能チャンネルであったため、子機５０は指定通信チャンネルが使用可能チャンネルであることを示す指定通信チャンネルＯＫ応答を子機使用許可チャンネルリスト５３ｂとともに親機１０へ送信する（Ｓ５０７）。
【０１１６】
指定通信チャンネルＯＫ応答と子機使用許可チャンネルリスト５３ｂを受信した親機１０は、子機使用許可チャンネルリスト５３ｂを子機使用許可チャンネルリスト１３ｂとしてＲＡＭ１３に格納し、さらに、通信チャンネル決定通知を子機５０へ送信する（Ｓ５０８）。
【０１１７】
そして、子機５０が通信チャンネル決定通知を受信すると、子機５０は通話が可能になる。ここでいう通話可能とは、親機１０と子機５０が指定した通信チャンネルでの通信を確立したことをいい、実際には、この後に子機５０において利用者がダイヤル操作をすることにより親機１０が電話回線網にダイヤル信号を送出して、相手先電話装置が応答することにより相手先電話装置との間での外線通話が可能となる。
【０１１８】
その後、子機５０の利用者が子機５０の操作キー５６ａを操作して、通話終了操作を行う（Ｓ５０９）と、子機５０は親機１０へ通話終了指令を送信する（Ｓ５１０）。そして、通話終了指令を受信した親機１０は相手先電話装置との外線通話を終了する（Ｓ５１１）。
【０１１９】
次に、コードレス親子電話機１の制御部１１および制御部５１により実行される処理を図９〜図１１を用いて説明する。まず図９を用いて通信チャンネル判定処理を説明する。この通信チャンネル判定処理は、図７と図８における親機通信チャンネル判定（Ｓ４０１，Ｓ５０１）と子機通信チャンネル判定（Ｓ４０２，Ｓ５０２）に対応する。
【０１２０】
図９（ａ）は親機１０の制御部１１が実行する親機通信チャンネル判定処理を表すフローチャート、図９（ｂ）は子機５０の制御部５１が実行する子機通信チャンネル判定処理を表すフローチャートである。
この親機通信チャンネル判定処理において、制御部１１は、まずＳ１０１にて、デフォルト使用許可チャンネルリスト１４ａにおいて、使用可能チャンネルとして設定されている通信チャンネルを番号順に１つずつ選択し、Ｓ１０２において、選択された使用可能チャンネルについて搬送波の判定を行う。
【０１２１】
そして、Ｓ１０３に移行し、搬送波がないと判定された場合には、選択された通信チャンネルを使用可能チャンネルであるとし、搬送波があると判定された場合には使用禁止チャンネルであるとして、親機使用許可チャンネルリスト１３ａを更新して、当該親機通信チャンネル判定処理を終了する。
【０１２２】
また、子機通信チャンネル判定処理において、制御部５１は、まずＳ１１１にて、デフォルト使用許可チャンネルリスト５４ａにおいて、使用可能チャンネルとして設定されている通信チャンネルを番号順に１つずつ選択し、Ｓ１１２において、選択された使用可能チャンネルが、親機使用許可チャンネルリスト５３ａにおいて使用可能チャンネルとして設定されているものであるか否か判断する。ここで、使用可能チャンネルとして設定されているものでないと判断すると（Ｓ１１２：ＮＯ）、Ｓ１１３に移行し、選択された使用可能チャンネルは判定しない通信チャンネルとして、子機使用許可チャンネルリスト５３ｂを更新する。
【０１２３】
一方、使用可能チャンネルとして設定されているものであると判断すると（Ｓ１１２：ＹＥＳ）、Ｓ１１４に移行し、選択された使用可能チャンネルについて搬送波の判定を行う。
そして、Ｓ１１５に移行し、搬送波がないと判定された場合には、選択された通信チャンネルを使用可能チャンネルであるとし、搬送波があると判定された場合には使用禁止チャンネルであるとして、子機使用許可チャンネルリスト５３ｂを更新して、当該子機通信チャンネル判定処理を終了する。
【０１２４】
次に図１０を用いて、コードレス親子電話機１の制御部１１および制御部５１により実行される着信処理を説明する。この着信処理は、図７で説明したコードレス親子電話機１の着信時の動作に対応する処理である。
この親機着信処理において、制御部１１は、まずＳ１２１にて、外線からの着信があるか否かを判断する。ここで、外線からの着信があると判断すると（Ｓ１２１：ＹＥＳ）、Ｓ１２２に処理を移す。一方、外線からの着信がないと判断すると（Ｓ１２１：ＮＯ）、Ｓ１２１の処理を繰り返す。
【０１２５】
Ｓ１２２では、子機使用許可チャンネルリスト１３ｂにおいて使用可能チャンネルとして記憶されている通信チャンネルを１つ選択して、その選択した通信チャンネルの番号を示す指定通信チャンネル情報１３ｃを親機使用許可チャンネルリスト１３ａとともに子機５０へ送信する。
【０１２６】
そして、Ｓ１２３に移行して、子機５０からの指定通信チャンネルＯＫ応答か指定通信チャンネルＮＧ応答を受信するのを待ち、指定通信チャンネルＯＫ応答を受信した場合には（Ｓ１２３：ＯＫ）、Ｓ１２４に移行し、指定通信チャンネルＮＧ応答を受信した場合には（Ｓ１２３：ＮＧ）、Ｓ１２２に移行し、上述の処理を繰り返す。
【０１２７】
そして、Ｓ１２４に移行すると通信チャンネル決定通知を子機５０へ送信し、Ｓ１２５において、指定通信チャンネル情報１３ｃをＲＡＭ１３に格納する。そして、Ｓ１２６において、ＲＡＭ１３に格納された指定通信チャンネル情報１３ｃにおいて示されている通信チャンネルを用いて、子機５０と間で通信を確立することで通話可能となる。その後、通話がなされた後に通話が終了すれば、当該親機着信処理は終了する。
【０１２８】
また、子機着信処理において、制御部５１は、まずＳ１３１にて、指定通信チャンネル情報１３ｃを受信したか否かを判断する。ここで、指定通信チャンネル情報１３ｃを受信したと判断すると（Ｓ１３１：ＹＥＳ）、Ｓ１３２に処理を移す。一方、指定通信チャンネル情報１３ｃを受信してないと判断すると（Ｓ１３１：ＮＯ）、Ｓ１３１の処理を繰り返す。
【０１２９】
Ｓ１３２では、無線通信部５９により子機５０の周囲の電波を検出して、指定通信チャンネル情報１３ｃに示された番号に対応する通信チャンネルおいて使用される周波数の搬送波があるか否かを判断する。そして、搬送波があると判断した場合には（Ｓ１３２：ＮＧ）、Ｓ１３５に移行して、指定通信チャンネルは使用禁止チャンネルであるとして、子機使用許可チャンネルリスト５３ｂを更新して、さらにＳ１３６にて指定通信チャンネルＮＧ応答と子機使用許可チャンネルリスト５３ｂを親機１０へ送信した後に、Ｓ１３１に移行し、上述の処理を繰り返す。
【０１３０】
一方、搬送波がないと判断した場合には（Ｓ１３２：ＯＫ）、Ｓ１３３に移行して指定通信チャンネルＯＫ応答と子機使用許可チャンネルリスト５３ｂを親機１０へ送信し、Ｓ１３４において、受信した指定通信チャンネル情報１３ｃを指定通信チャンネル情報５３ｃとしてＲＡＭ５３に格納する。そして、Ｓ１３７に移行する。
【０１３１】
Ｓ１３７では、通信チャンネル決定通知を受信したか否かを判断する。ここで、通信チャンネル決定通知を受信してないと判断すると（Ｓ１３７：ＮＯ）、Ｓ１３７の処理を繰り返す。一方、通信チャンネル決定通知を受信したと判断すると（Ｓ１３７：ＹＥＳ）、Ｓ１３８に処理を移し、ＲＡＭ５３に格納された指定通信チャンネル情報５３ｃにおいて示されている通信チャンネルを用いて、親機１０と間で通信を確立することで通話可能となる。その後、通話がなされた後に通話が終了すれば、当該子機着信処理は終了する。
【０１３２】
次に図１１を用いて、コードレス親子電話機１の制御部１１および制御部５１により実行される発信処理を説明する。この発信処理は、図８で説明したコードレス親子電話機１の発信時の動作に対応する処理である。
図１１（ａ）は親機１０の制御部１１が実行する親機発信処理を表すフローチャート、図１１（ｂ）は子機５０の制御部５１が実行する子機発信処理を表すフローチャートである。
【０１３３】
この親機発信処理において、制御部１１は、まずＳ１４１にて、子機５０からの発呼信号を受信したか否かを判断する。ここで、発呼信号を受信したと判断すると（Ｓ１４１：ＹＥＳ）、Ｓ１４２に処理を移す。一方、発呼信号を受信していないと判断すると（Ｓ１４１：ＮＯ）、Ｓ１４１の処理を繰り返す。
【０１３４】
Ｓ１４２では、子機使用許可チャンネルリスト１３ｂにおいて使用可能チャンネルとして記憶されている通信チャンネルを１つ選択して、その選択した通信チャンネルの番号を示す指定通信チャンネル情報１３ｃを親機使用許可チャンネルリスト１３ｂとともに子機５０へ送信する。
【０１３５】
そして、Ｓ１４３に移行して、子機５０からの指定通信チャンネルＯＫ応答か指定通信チャンネルＮＧ応答を受信するのを待ち、指定通信チャンネルＯＫ応答を受信した場合には（Ｓ１４３：ＯＫ）、Ｓ１４４に移行し、指定通信チャンネルＮＧ応答を受信した場合には（Ｓ１４３：ＮＧ）、Ｓ１４２に移行し、上述の処理を繰り返す。
【０１３６】
そして、Ｓ１４４に移行すると通信チャンネル決定通知を子機５０へ送信し、Ｓ１４５において、指定通信チャンネル情報１３ｃをＲＡＭ１３に格納する。そして、Ｓ１４６において、ＲＡＭ１３に格納された指定通信チャンネル情報１３ｃにおいて示されている通信チャンネルを用いて、子機５０と間で通信を確立することで通話可能となる。その後、通話がなされた後に通話が終了すれば、当該親機発信処理は終了する。
【０１３７】
また、子機発信処理において、制御部５１は、まずＳ１５１にて、子機５０の利用者が送受話部５５を取り上げるなどの発呼操作をしたか否かを判断する。ここで、発呼操作をしていないと判断すると（Ｓ１５１：ＮＯ）、Ｓ１５１の処理を繰り返す。一方、発呼信号を受信したと判断すると（Ｓ１５１：ＹＥＳ）、Ｓ１５２に移行し、親機１０へ発呼信号を送信する。その後に１５３に処理を移す。
【０１３８】
Ｓ１５３では、指定通信チャンネル情報を受信したか否かを判断する。ここで、指定通信チャンネル情報１３ｃを受信したと判断すると（Ｓ１５３：ＹＥＳ）、Ｓ１５４に処理を移す。一方、指定通信チャンネル情報１３ｃを受信してないと判断すると（Ｓ１５３：ＮＯ）、Ｓ１５３の処理を繰り返す。
【０１３９】
Ｓ１５４では、無線通信部５９により子機５０の周囲の電波を検出して、指定通信チャンネル情報に示された番号に対応する通信チャンネルで使用される周波数の搬送波があるか否かを判断する。そして、搬送波があると判断した場合には（Ｓ１５４：ＮＧ）、Ｓ１５７に移行して、指定通信チャンネルは使用禁止チャンネルであるとして、子機使用許可チャンネルリスト５３ｂを更新して、さらにＳ１５８にて指定通信チャンネルＮＧ応答と子機使用許可チャンネルリスト５３ｂを親機１０へ送信した後に、Ｓ１５３に移行し、上述の処理を繰り返す。
【０１４０】
一方、搬送波がないと判断した場合には（Ｓ１５４：ＯＫ）、Ｓ１５５に移行して指定通信チャンネルＯＫ応答と子機使用許可チャンネルリスト５３ｂを親機１０へ送信し、Ｓ１５６において、受信した指定通信チャンネル情報１３ｃを指定通信チャンネル情報５３ｃとしてＲＡＭ５３に格納する。そして、Ｓ１５９に移行する。
【０１４１】
Ｓ１５９では、通信チャンネル決定通知を受信したか否かを判断する。ここで、通信チャンネル決定通知を受信してないと判断すると（Ｓ１５９：ＮＯ）、Ｓ１５９の処理を繰り返す。一方、通信チャンネル決定通知を受信したと判断すると（Ｓ１５９：ＹＥＳ）、Ｓ１６０に処理を移し、ＲＡＭ５３に格納された指定通信チャンネル情報５３ｃにおいて示されている通信チャンネルを用いて、親機１０と間で通信を確立することで通話可能となる。その後、通話がなされた後に通話が終了すれば、当該子機発信処理は終了する。
【０１４２】
［本発明との対応関係］
以上説明した実施形態２において、図９（ｂ）の子機通信チャンネル判定処理は本発明における第１リスト生成手段、図１０（ｂ）のＳ１３３の処理および図１１（ｂ）のＳ１５５の処理は本発明における第１リスト送信手段、図１０（ｂ）のＳ１３４の処理および図１１（ｂ）のＳ１５６の処理は本発明における通信チャンネル設定手段、図９（ａ）の親機通信チャンネル判定処理は本発明における第２リスト生成手段、図１０（ａ）のＳ１２２の処理および図１１（ａ）のＳ１４２の処理は本発明における第２リスト送信手段、図１０（ａ）のＳ１２２，Ｓ１２５の処理および図１１（ａ）のＳ１４２，Ｓ１４５の処理は本発明における通信チャンネル選択手段として機能している。
【０１４３】
また、図１１におけるＳ１５１〜Ｓ１５２の処理は本発明における通話開始信号送信手段として機能している。
［効果］
このように構成されたコードレス親子電話機１によれば、親機１０は、親機１０の周囲に存在する搬送波の検出結果に基づき、各通信チャンネルに対して、周囲に搬送波が存在しない通信チャンネルを使用可能チャンネル、周囲に搬送波が存在する通信チャンネルを使用禁止チャンネルとして親機使用許可チャンネルリスト１３ａを生成するとともに、子機５０は、子機５０の周囲に存在する搬送波の検出結果に基づき、親機使用許可チャンネルリスト５３ａに使用可能チャンネルとして登録されている通信チャンネルに対して、周囲に搬送波が存在しない通信チャンネルを使用可能チャンネル、周囲に搬送波が存在する通信チャンネルを使用禁止チャンネルとして子機使用許可チャンネルリスト５３ｂを生成する。そして、親機１０は、子機使用許可チャンネルリスト１３ｂで使用可能チャンネルとして設定された通信チャンネルの中から、親機１０と子機５０との間で使用可能な通信チャンネルの一つを選択する。そして、選択した通信チャンネルを指定する指定通信チャンネル情報１３ｃに基づき、親機１０は親機−子機間で通信に使用する通信チャンネルの情報をＲＡＭ１３に格納し、子機５０は該情報をＲＡＭ５３に格納する。
【０１４４】
このため、親機１０は、親機１０周囲の搬送波の状況だけでなく、子機５０周囲の搬送波の状況に基づいて、子機５０との間の通信に使用する通信チャンネルを選択するので、親機１０が選択した通信チャンネルが子機５０において使用できないため、また新たに別の通信チャンネルを選択するという状況を減らすことができる。即ち、親機−子機間での無線通信接続にかかる時間を短縮できる。
【０１４５】
また、親機１０は、子機使用許可チャンネルリスト１３ｂのみを用いて、通信チャンネルを選択できるので、親機・子機使用許可チャンネルリストの両方を用いて通信チャンネルを選択する場合よりも選択する方法が簡便になる。
［変形例］
以上、本発明の実施の形態について説明したが、本発明の実施の形態は上記実施の形態に何ら限定されることなく、本発明の技術的範囲に属する限り種々の形態をとり得ることはいうまでもない。
【０１４６】
例えば、本実施形態１においては、親機１０が親機使用許可チャンネルリスト１３ａの中から通信チャンネルを１つ選択して、その指定通信チャンネル情報１３ｃを子機５０へ送信し、指定通信チャンネル情報１３ｃを受信した子機５０が、指定通信チャンネル情報１３ｃによって示される通信チャンネルが使用可能チャンネルであるか否かを判定するものを示した（例えば、図２のＳ２０４，Ｓ２０５参照）。
【０１４７】
しかし、子機５０が通信チャンネルを１つ選択して、その指定通信チャンネル情報を親機１０へ送信し、指定通信チャンネル情報を受信した親機１０が、指定通信チャンネル情報によって示される通信チャンネルが使用可能チャンネルであるか否かを判定する構成であっても良い。
【０１４８】
この場合には、親機１０において相手側電話装置からの着信を受信したら、親機１０は着信がある旨を表す着信信号を子機５０へ送信し、着信信号を受信した子機５０が指定通信チャンネル情報を親機１０へ送信するようにすればよい。また、子機５０側で発呼操作が行われたら、指定通信チャンネル情報を親機１０へ送信するようにすればよい。
【０１４９】
また、本実施形態１においては、親機通信チャンネル判定処理は、図４（ａ）に示す手順で行うものを示した。しかし、図１２において示される手順で構成されるものでもよい。
次に、この親機通信チャンネル判定処理を、図１２を用いて説明する。図１２は、別の実施形態における親機通信チャンネル判定処理を表すフローチャートである。
【０１５０】
この親機通信チャンネル判定処理において、制御部１１は、まずＳ１７１にて、デフォルト使用許可チャンネルリスト１４ａにおいて、使用可能チャンネルとして設定されている通信チャンネルを番号順に１つずつ選択し、Ｓ１７２において、選択された使用可能チャンネルが、子機使用許可チャンネルリスト１３ｂにおいて使用可能チャンネルとして設定されているものであるか否か判断する。ここで、使用可能チャンネルとして設定されているものでないと判断すると（Ｓ１７２：ＮＯ）、Ｓ１７３に移行し、選択された使用可能チャンネルは判定しない通信チャンネルとして、親機使用許可チャンネルリスト１３ａを更新する。
【０１５１】
一方、使用可能チャンネルとして設定されているものであると判断すると（Ｓ１７２：ＹＥＳ）、Ｓ１７４に移行し、選択された使用可能チャンネルについて搬送波のレベルの測定を行い、このレベルを０，１，２，・・・，１４，１５段階に分類する。ここでは、「０」は最低のレベル、「１５」は最高のレベルを表すとする。
【０１５２】
そして、Ｓ１７５において、Ｓ１７５で分類したレベルを親機使用許可チャンネルリスト１３ａに格納し、当該親機通信チャンネル判定処理を終了する。
この親機通信チャンネル判定処理で生成される親機使用許可チャンネルリスト１３ａは、図１５（ｃ）に示すように構成されている。図１５（ａ）はデフォルト使用許可チャンネルリスト１４ａ，図１５（ｂ）は子機使用許可チャンネルリスト１３ｂを示しており、親機使用許可チャンネルリスト１３ａには、図１５（ｃ）に示すように、子機使用許可チャンネルリスト１３ｂにおいて使用可能チャンネルと判定されている通信チャンネルにおいて、搬送波レベルの情報が０，１，２，・・・，１４，１５段階で記憶されている。
【０１５３】
例えば、図１５（ｂ）に示す子機使用許可チャンネルリスト１３ｂにおいて、使用可能チャンネルである（リスト中では「○」によって表示）Ｃｈ番号３の通信チャンネルにおいて、図１５（ｃ）に示す親機使用許可チャンネルリスト１３ａには、レベル情報を示す「３」が記載されている。
【０１５４】
また、図１５（ｂ）に示す子機使用許可チャンネルリスト１３ｂにおいて、使用禁止チャンネルである（リスト中では「×」によって表示）Ｃｈ番号４３の通信チャンネルにおいて、図１５（ｃ）に示す親機使用許可チャンネルリスト１３ａには、判定を行っていないことを示す「−」が記載されている。
【０１５５】
そして更に、図５のＳ２２の処理において、図１５（ｃ）に示す親機使用許可チャンネルリスト１３ａを用いて、レベルが低い通信チャンネルを優先的に１つ選択し、その選択した通信チャンネルの番号を示す指定通信チャンネル情報１３ｃを子機５０へ送信するようにしてもよい。
【０１５６】
このように構成されたコードレス親子電話機１によれば、親機１０は、子機使用許可チャンネルリスト１３ｂにおいて使用可能チャンネルと判定されている通信チャンネルに対して、搬送波のレベルの測定を行い、その測定結果を親機使用許可チャンネルリスト１３ａとして生成する。そして、親機１０は、親機使用許可チャンネルリスト１３ａ内のレベルに基づき、レベルが低い通信チャンネルを優先的に、両通信端末で使用可能な通信チャンネルとして一つ選択する。
【０１５７】
このため、親機１０は親機−子機間で使用可能な通信チャンネルを選択する際に、使用可能チャンネルの中でも特に搬送波レベルが低い通信チャンネルを選択するので、親機１０が選択した通信チャンネルが子機５０において使用できないため、また新たに別の通信チャンネルを選択するという状況をさらに減らすことができる。
【０１５８】
また、図１２においては、使用可能チャンネルについての搬送波レベル測定を親機１０が行ったが、子機５０が搬送波レベル測定を行うようにしてもよい。
また、本実施形態１においては、子機を１台備えるものを示した。しかし、子機を複数台備える構成であっても良い。例えば、子機を２台備える構成では、第１子機と第２子機が夫々使用許可チャンネルリストを持ち、親機は第１子機と第２子機から夫々送信されてきた第１子機使用許可チャンネルリストと第２子機使用許可チャンネルリストと親機使用許可チャンネルリストとを用いて、親機，第１子機，第２子機の３機において使用可能チャンネルとなっている通信チャンネルを、親機と第１子機と第２子機との間で用いる通信チャンネルを選択するようにしてもよい。
【０１５９】
図１６は、親機と第１子機と第２子機を備えるコードレス親子電話機における使用許可チャンネルリストの構成を説明する図であり、図１６（ａ）はデフォルト使用許可チャンネルリスト、図１６（ｂ）は親機使用許可チャンネルリスト、図１６（ｃ）は第１子機使用許可チャンネルリスト、図１６（ｄ）は第２子機使用許可チャンネルリストを示している。
【０１６０】
図１６において、親機，第１子機，第２子機の３機ともに使用可能チャンネルとなっているのは、Ｃｈ番号４，４３，４７，４８，８０，８８の通信チャンネルであるので、これらの通信チャンネルの中から、親機と第１子機と第２子機との間で用いる通信チャンネルが選択される。
【０１６１】
このように構成されたコードレス親子電話機１によれば、親機使用許可チャンネルリスト、第１子機使用許可チャンネルリスト、第２子機使用許可チャンネルリストを用いて、親機と第１子機と第２子機との間の通信に使用する通信チャンネルを選択するため、親機が選択した通信チャンネルが、第１子機と第２子機の何れかで使用できないため、また新たに別の通信チャンネルを選択するという状況を減らすことができる。即ち、親機と第１子機・第２子機との間での無線通信接続にかかる時間を短縮できる。
【０１６２】
また、本実施例においては、通信に先立つ親機１０への着信または子機５０からの発呼に応じて、制御チャンネルを介してチャンネルリストを送信する例を示したが、通信の開始または終了時に通信チャンネルを介してそれらのチャンネルリストを送信するように構成しても良い。
【図面の簡単な説明】
【図１】実施の形態におけるコードレス親子電話機の構成を表すブロック図。
【図２】実施の形態１における着信処理を示すシーケンス図。
【図３】実施の形態１における発信処理を示すシーケンス図。
【図４】実施の形態１における通信チャンネル判定処理手順を示すフローチャート。
【図５】実施の形態１における着信処理手順を示すフローチャート。
【図６】実施の形態１における発信処理手順を示すフローチャート。
【図７】実施の形態２における着信処理を示すシーケンス図。
【図８】実施の形態２における発信処理を示すシーケンス図。
【図９】実施の形態２における通信チャンネル判定処理手順を示すフローチャート。
【図１０】実施の形態２における着信処理手順を示すフローチャート。
【図１１】実施の形態２における発信処理手順を示すフローチャート。
【図１２】別の実施の形態における通信チャンネル判定処理手順を示すフローチャート。
【図１３】実施の形態１における使用許可チャンネルリストの構成説明図。
【図１４】実施の形態２における使用許可チャンネルリストの構成説明図。
【図１５】別の実施の形態における使用許可チャンネルリストの構成説明図。
【図１６】別の実施の形態における使用許可チャンネルリストの構成説明図。
【符号の説明】
１…コードレス親子電話機、１０…親機、１１…制御部、１２…ＲＯＭ、１３…ＲＡＭ、１４…Ｅ２ＰＲＯＭ、１５…ユーザＩ／Ｆ、１６…ハンドセット、１７…音声入出力部、１８…無線通信部、１９…ＮＣＵ、２０…経路切換部、５０…子機、５１…制御部、５２…ＲＯＭ、５３…ＲＡＭ、５４…Ｅ２ＰＲＯＭ、５５…送受話部、５６…ユーザＩ／Ｆ、５７…再生部、５８…スピーカ部、５９…無線通信部、１００…公衆電話回線網。
【図１】
2004304423.tif 000003
【図２】
2004304423.tif 000004
【図３】
2004304423.tif 000005
【図４】
2004304423.tif 000006
【図５】
2004304423.tif 000007
【図６】
2004304423.tif 000008
【図７】
2004304423.tif 000009
【図８】
2004304423.tif 000010
【図９】
2004304423.tif 000011
【図１０】
2004304423.tif 000012
【図１１】
2004304423.tif 000013
【図１２】
2004304423.tif 000014
【図１３】
2004304423.tif 000015
【図１４】
2004304423.tif 000016
【図１５】
2004304423.tif 000017
【図１６】
2004304423.tif 000018